Podtech/llm-jp-corpus-v4-ja_patent huggingface dataset:
(57)【要約】【課題】  太陽のオゾン層の破壊が進み皮膚ガンや白内障の心配が多くなり、何らかの防備なしでは、外出ができなくなり、又はシミ、ソバカス、ホクロ等、とりのぞくサプリメント、美容品が多い中、老化予防対策としても直接防備できる、おしゃれな頭部装身用紫外線防止具を提供する。【解決手段】  既成商品の帽子あるいは、サンバイザー等の頭部装身具のフレームの内側に、面ファスナー等で脱着自由自在に取り付けられる紫外線防止具であって、上部に前記頭部装身具に装着するための固定手段を備え、顔の両側面及び鼻下から首廻りまでを覆うことができるように形成され紫外線防止素材からなる側面カバーと、首の後部を覆うことができるように形成された脱着自在な後部カバーとなることを特徴とする頭部装身具用紫外線防止具。【選択図】  図２
2006225824.tif 000002
【特許請求の範囲】
【請求項１】
既成商品の帽子あるいは、サンバイザー等の頭部装身具のフレームの内側に、面ファスナー等で脱着自由自在に取り付けられる紫外線防止具であって、上部に前記頭部装身具に装着するための固定手段を備え、顔の両側面及び鼻下から首廻りまでを覆うことができるように形成された紫外線防止素材からなる側面カバーと、首の後部を覆うことができるように形成された脱着自在な後部カバーとなることを特長とする頭部装身具用紫外線防止具。
【発明の詳細な説明】
【技術分野】
【０００１】  本発明は、顔の側面および首廻りの紫外線を防止するため、既成品の帽子あるいはサンバイザーに装着して使用する脱着自在の頭部装身具用紫外線防止具に関するものである。
【背景技術】
【０００２】  従来、紫外線防止品は、顔の両側とアゴと首廻りを防止するために、帽子とサンバイザーが一体型となって顔全体を包み込み、防災ずきんのようであった。
【発明の開示】
【発明が解決しようとする課題】
【０００３】  そのために、次のような問題点があった。
防災ずきんのようであるから風通しが悪く、蒸れて暑く美的要素がなく着用が恥かしいものであった。
本発明は以上の問題を解決しようとするものである。
【課題を解決するための手段】
【０００４】  既成商品の帽子あるいは、サンバイザー等の頭部装身具のフレームの内側に、面ファスナー等で脱着自由自在に取り付けられる紫外線帽子具であって、上部に前記頭部装身具に装着するための固定手段を備え、顔の両側面および鼻下から首廻りまでを覆うことができるように形成された紫外線防止素材からなる側面カバーと、首の後部を覆うことができるように形成された脱着自在な後部カバーとなる。
以上の構成よりなる頭部装身具用紫外線防止具。
【発明の効果】
【０００５】  本発明は、あらゆる既成商品の帽子およびサンバイザーに脱着自由自在で、顔の両側と首廻りを下からの照り返しによる紫外線を必要に応じて防ぐことができる。
また、風通しも良く美的要素もある。
【発明を実施するための最良の形態】
【０００６】  以下、本発明の実施の形態を説明する。
（イ）側面カバー（１）は既成品のサンバイザー（２）のフレーム（２ａ）の内側に納め貼着した雌面ファスナー（３ｂ）に装着するための雄面ファスナー（３ａ）を上部に備え、顔の両側面および鼻下から首廻りまでを覆うことができるように形成された紫外線防止素材からなる側面カバーである。
（ロ）側面カバー（１）の前に、鼻下と口下に顔前部を開口するための着脱自在なホック（４）を付け、後側面に顔に添うためにダーツ（６ａ）、（６ｂ）を形成する。
（ハ）側面カバー（１）の後側面にホック（５ａ）、（５ｂ）、（５ｃ）、（５ｄ）を設け、首の後部を覆うための紫外線防止素材からなるシャーリングを施した後部カバー（７）を着脱自在に設ける。
本発明は、以上の構成よりなっている。
本発明を使用するときは、防止必要に応じて側面カバー（１）を前後に取り付ける。
また、側面カバー（１）の前部分ホック（４ａ）、（４ｂ）を鼻の下、または、口の下、顔の側面のみと使用目的で利用できる。
後部カバー（７）の場合も使用目的により、ホック（５ａ）、（５ｂ）、（５ｃ）、（５ｄ）より脱着できる。
【図面の簡単な説明】
【０００７】
【図１】本発明の正面図である。
【図２】本発明の装着前の斜視図である。
【図３】本発明の装着状態を示した斜視図である。
【図４】本発明の使用状態を示した正面図である。
【図５】本発明の使用状態を示した背面図である。
【符号の説明】
【０００８】１  側面カバー
２  サンバイザー
２ａ  フレーム
２ｂ  つば
３ａ  雄面ファスナー
３ｂ  雌面ファスナー
４ａ  ホック
４ｂ  ホック
５ａ  ホック
５ｂ  ホック
５ｃ  ホック
５ｄ  ホック
６  ダーツ
７  後部カバー
【図１】
2006225824.tif 000003
【図２】
2006225824.tif 000004
【図３】
2006225824.tif 000005
【図４】
2006225824.tif 000006
【図５】
2006225824.tif 000007
(57)【要約】      （修正有）【課題】簡単かつ正確に、しかも安価に増毛できる増毛用具の提供。【解決手段】増毛用髪５を頭皮に簡単正確に押し当て接着するために筒状増毛専用スティックの形態からなり、増毛用髪５を通す穴の開いた部分に増毛用髪５が植えてある増毛シート４を通し固定するために増毛髪止めストッパーを筒状増毛スティック後部穴に差込み増毛準備にしておく。準備した増毛スティックを増毛シート４面を頭皮に押し当て接着して、増毛シート４接着面側に粘着剤をつけておくかあるいは頭皮に粘着剤を塗布しておくと簡単に増毛シート４を直接手で触ることなく容易に接着できる、増毛完了後増毛髪止めストッパーをはずし筒状増毛専用スティックを抜き取る。【選択図】図４
2006225828.tif 000002
【特許請求の範囲】
【請求項１】
増毛シートを頭皮に貼りやすくなおかつ圧着さすための縁に幅がある形状を特徴とする筒状の増毛スティック
【請求項２】
筒に通した増毛髪が筒から脱落しないためと増毛髪を植えてあるシートが筒先端からずれないために筒後部に増毛髪を止めるストッパーを用いることを特徴とする
【発明の詳細な説明】
【発明の詳細な説明】
【産業上の利用分野】
【０００１】頭髪の薄毛や脱毛症に悩む人は多く、発毛剤が普及した現在でも大きな効果を得ることは少なく、また増毛する際も専門の増毛サロンに出向き時間と高額な費用をかけ増毛しています。近年頭皮一体増毛も普及しているが高価で短期間に専用サロンで張り替えに行かなくてはならない。この発明は、筒状の増毛スティックを頭皮に押し当てることにより増毛シートが接着し、この作業を繰り返すことにより広範囲でも簡単に増毛が可能で自分でも容易に増毛シートの貼り付けがおこなえる。
【背景技術】
【０００２】従来の増毛は専門業者が髪の毛１本に増毛用髪を特殊なくくり方をして増毛するか、増毛シートを頭皮に貼り付ける方法しかなく、この方法も増毛シートが薄いため貼り難く手間と時間がかかり高額な費用になる。
【発明が解決しようとする課題】
【０００３】今までは増毛必要範囲全体に増毛シートを手作業にて貼り付けていますが増毛シートが非常に薄いため貼り付けのときしわができやすく思い通りの部位に貼り付けることが困難
【０００４】小さな範囲に増毛シートを貼る時も指についてしまい貼り難い、特に自分自身での作業はほとんど不可能で増毛シートを貼ることができても縁がめくれたり破けたりする。また自毛を間に挟んでしまい不自然になる。
【課題を解決するための手段】
【０００５】これらのことを解決するために、増毛シートを増毛したい部分に的確に貼り付けられる筒状の増毛用スティックを開発発明した。
【０００６】まず、増毛シートの接着面を的確に増毛部分の頭皮に持っていくために増毛用髪を筒に内蔵し増毛シートの接着面を筒先端の断面に固定することによりピンポイントで接着できるスティックタイプにした。
【０００７】スティックタイプにしたことにより持ちやすく増毛者本人が自分自身でも簡単に正確に増毛でき、繰り返すことにより広い面積にも取り付けができる。
【０００８】増毛用シートを取り付けてある筒状の増毛スティック先端の形状が厚みのある縁であることにより頭皮に押し当て接着する際圧力をかける面積ができ増毛シートの縁を圧着しやすくなっている。
【図面の簡単な説明】
【０００９】（図１）筒状増毛スティック本体
▲１▼増毛用髪を通す穴の開いた部分
▲２▼厚みのある縁
（図２）筒状増毛スティック浸透図
▲３▼筒状増毛スティック後部穴
（図３）増毛髪止めストッパー
（図４）増毛用髪が植えてある増毛シート
▲４▼増毛シート
▲５▼増毛用髪
（図５）（図１）筒状増毛スティック本体に（図４）増毛用髪が植えてある増毛シートをセットし▲３▼に（図３）の増毛髪止めストッパーを差し込んだ増毛準備完了図
（図６）増毛実施例で（図５）を頭皮に押し当てている図
（図７）は（図３）増毛髪止めストッパーをはずし（図１）の増毛スティックを抜き取り増毛完了の図
【実施の説明】
【００１０】増毛作業が容易にするために（図４）増毛用髪が植えてある増毛シートが（図１）筒状増毛スティック本体に内蔵することにより▲５▼増毛用髪がバラけることなく、なおかつ▲４▼増毛シート面が筒状増毛スティック先端面に固定されていて増毛しようとする部分に押し当てやすく接着面を効果的に圧着させるため▲２▼厚みのある縁になっている
【００１１】（図４）増毛用髪が植えてある増毛シートが（図１）筒状増毛スティック本体から脱落しないよう固定するために（図３）増毛髪止めストッパーを▲３▼筒状増毛スティック後部穴に差込増毛準備完了
【００１２】これを図解してあるのが（図５）である
【００１３】（図６）は（図５）を頭皮に押し当て接着している図で▲４▼増毛シート接着面側に粘着剤をつけておくかあるいは頭皮に粘着剤を塗布しておくと簡単に▲４▼増毛シートを接着できる
【００１４】この作業を必要なだけ繰り返し増毛していく
【図１】
2006225828.tif 000003
【図２】
2006225828.tif 000004
【図３】
2006225828.tif 000005
【図４】
2006225828.tif 000006
【図５】
2006225828.tif 000007
【図６】
2006225828.tif 000008
【図７】
2006225828.tif 000009
(57)【要約】      （修正有）【課題】不織布用接着剤は、接着剤の使用量が多くコスト高の原因となり、また接着剤の量が多いため得られた不織布の品質にも悪影響を与えている。【解決手段】接着剤に加え、接着助剤としてエチレングリコール、界面活性剤、ポリ塩化アルミニウム、アルギン酸ソーダの少なくとも一種を加えたビスフェノール系アルキッド樹脂を用いることで、優れた不織布が得られる。【効果】従来の接着剤の使用量が少なくて、同等の接着効果が得られる。【選択図】  なし【特許請求の範囲】
【請求項１】
接着剤及び接着助剤を含有する不織布用接着剤組成物。
【請求項２】
接着剤及び接着助剤を含有する不織布。
【請求項３】
接着助剤がエチレングリコール、界面活性剤、ポリ塩化アルミニム、アルギン酸ソーダの少なくとも一種からなる、請求項1の接着助剤。
【請求項４】
接着剤がビスフェノール系アルキッド樹脂である、請求項1の接着剤。
【請求項５】
不織布材料がガラス繊維である請求項1項、請求項2項。
【請求項６】
接着剤としてアルギン酸ソーダを含有する不織布用接着剤組成物。
【請求項７】
接着剤がアルギン酸ナトリウムであり、接着助剤がエチレングリコール、界面活性剤、ポリ塩化アルミの少なくとも一種である接着剤組成物。
【発明の詳細な説明】
【技術分野】
【０００１】
本発明は、不織布製造用の接着剤及び接着助剤組成物、及び接着された不織布に関する。
【背景技術】
【０００２】
従来、不織布は繊維を接着剤で接着し、布としている。接着剤としては、種々の化合物が使用されている。繊維の種類、得られる不織布の用途に応じ、接着剤も使い分けられている。
【発明の開示】
【発明が解決しようとする課題】
【０００３】
本発明は、従来使用されている不織布用接着剤では、接着剤の使用量が多くコスト高の原因となっている点、接着剤の量が多いため得られた不織布の品質にも悪影響を与える場合があったが、本発明は、これらの問題点を解決することを目的とする。
【課題を解決するための手段】
【０００４】
本発明は、従来の不織布用接着剤に新規な接着助剤を併用することである。接着助剤を併用することにより、接着剤の使用量が軽減でき、目的とする接着効果も充分得られ、製品の品質向上にもつながるものである。
【０００５】
接着剤は、従来使用されているものは、何でも使用可能である。例示すれば、飽和ポリエステル樹脂、不飽和ポリエステル樹脂、ポリビニルアルコール、ポリサク酸ビニル、ウレタン樹脂、エポキシ樹脂、アクリル樹脂、アルキッド樹脂、澱粉のり等である。
【０００６】
接着助剤としては、従来から汚水処理に使用されている水処理剤が使用できる。例示すれば、アルミニウムの塩化物（塩化アルミ、ポリ塩化アルミ）、鉄の塩化物（塩化鉄、ポリ塩化鉄）、鉄の硫酸塩（硫酸鉄、ポリ硫酸鉄）、アルミニウムの硫酸塩（硫酸アルミ、ポリ硫酸アルミ）、マグネシウムの塩化物（塩化マグネシウム、ポリ塩化マグネシウム）、カルシウムの塩化物（塩化カルシウム等）、ポリシリカ（シリカ  /  日鉄モル比0.25、0.50、
0.75、1.0、2.0、3.0）商品名として、水道機工（株）のPolysilica-Iron等。
高分子擬質剤として、例えば東亜合成（株）のアロンフロックメタアクリレート系、アクリレート系（カチオン系、ノニオン系、アニオン系）、C303A、C302、C310H、C508、C502、C510、C~10、TA25、A351、A106、A107、CX−900、CX450、CX240、V−51、アロンキレートS−1等が、挙げられる。
更に、水酸基含有化合物、例えばエチレングリコール、ポリエチレングリコール、グリセリン等が挙げられる。又、液状パラフィン等も有効である。また、界面活性剤も有効である。界面活性剤としては、市販の陰イオン系、陽イオン系、非イオン系、両性系、いずれも使用できる。更に、アルギン酸ソーダも使用できる。また、アルギン酸ソーダは、接着助剤以外に使用量を増やせば接着剤として使用でき、上述の接着助剤と併用すれば有効である。
【０００７】
適用される繊維としては、ガラス繊維、セルロース繊維、合成樹脂繊維、炭素繊維等がある。
【０００８】
接着剤、接着助剤の使用量は、使用する繊維、接着剤の種類により異なるため、適宜選択して最適使用量を定めれば良い。
【０００９】
ガラス繊維を例にとれば、ガラス繊維を接着剤で接着したガラスマットと称されるものがある。通常ガラスマットに使用されるガラス繊維はEガラスであり、ガラスヤーンが使用される。
【００１０】
また、他の繊維としては合成樹脂繊維、セルロース繊維、炭素繊維等がある。
【発明の効果】
【００１１】
本発明による従来使用されていた接着剤と接着助剤の組み合わせ（組成物）により、従来使用されていた比較的高価な接着剤の使用量が1/2から1/4で、従来と同等かそれ以上の接着効果が得られるようになった。
【００１２】
得られる不織布も従来品と同等、あるいは更に硬く、また更にやわらかく、所望の不織布が得られる。又、接着助剤、あるいは接着助剤としてアルキン酸ソーダを使用し、ガラス繊維に適用した場合、いわゆる毛羽の発生が顕著に減少する。
【発明を実施するための最良の形態】
【００１３】
不織布の製造方法としてガラス繊維を例にとると、ガラス繊維（マット用ガラス繊維）を1cm位の厚みとして網の上に敷き、上から接着助剤（0.3％水溶液、又は0.3％水懸ダク液）を、ついで接着剤をガラス繊維に対して1.5重量％散布し、ガラス繊維に対して（水溶液、又は水懸ダク液）を150％噴霧する。得られたものを170℃で15分位加熱し、不織布を得る。
【実施例】
【００１４】
以下実施例により、具体的に説明する。
【製造例】
【００１５】
ガラス繊維（泰山ファイバー製Eグラス、ファイバーロービング、ERS240、T985）を
20cm×25cmの金網の上に敷き、上からも金網をかぶせ、はさむ。接着助剤の0.3重量％水溶液を作製し、この水溶液をガラス繊維の裏側から8ｇ噴霧する（ガラス繊維に対して接着助剤0.12重量％に相当）。次に、ガラス繊維を裏返して、表にビスフェノール系アルキッド樹脂（三洋化成製商品名：ケミチレン13ＳＴ）の粉末の0.3ｇの2/3を均一に散布する。これを振動させてガラス繊維の裏側まで浸透させる。そのまま表面に接着助剤水溶液を16ｇ噴霧する。その後に、接着剤ケミチレン13ＳＴの0.3ｇの残り1/3を、均一に散布する。その後、表面から接着助剤水溶液を10ｇ噴霧する。その後、こぼれたケミチレン13ＳＴを再度散布し、200℃で約15分加熱しガラスマットを完成させる。得られたガラスマットを所定の方法で張り、強度（kg/10mm2）を測定した結果は表1に示す。
【００１６】
【表１】
2006225831.tif 000002
2006225831.tif 000003
(57)【要約】【課題】操作が容易で、数字の指示も明瞭な、かばん錠に使用されるダイヤル錠を得る。【解決手段】図はこの発明の操作輪付きダイヤル錠をセンターロック２として備えたかばん錠の一例を示すもので、１は把手、３は左右のサイドロックであって、キー４を用いる錠として示されている。２１は外周面に暗証番号用の数字を付したダイヤル、２２はダイヤル２１より径が大きくダイヤルと一体化されている操作輪、５１はダイヤルの数字が見える窓、５２は操作輪が露出している孔である。操作輪を付けたことにより、数字の見える窓５１は数字１つが見えればよく、数字の指示が明瞭になる。またダイヤルを直接操作しないので外周面を汚したり、摩滅によって数字が消えたりする惧れもない。【選択図】図１
2006225849.tif 000002
【特許請求の範囲】
【請求項１】
かばん錠のセンターロックとして使用される操作輪付きダイヤル錠において、
外周面に暗証番号用の数字が付されているダイヤルと、ダイヤルより径が大きいダイヤルの操作輪とが組み合わされていることを特徴とする操作輪付きダイヤル錠。
【発明の詳細な説明】
【技術分野】
【０００１】
この発明は、外周面に暗証番号用の数字を付したダイヤルと、ダイヤルを操作するための、ダイヤルより径の大きい操作輪とを組み合わせた、かばん錠のセンターロックなどに使用されるダイヤル錠に関する。
【背景技術】
【０００２】
従来のダイヤル錠は、外周面に暗証番号用の数字を付したダイヤルを直接指で操作していた。
【発明の開示】
【発明が解決しようとする課題】
【０００３】
従来のダイヤル錠は、外周面に数字の付されているダイヤルを直接指で操作している。そのためダイヤルはある程度以上の径が必要で、かつダイヤル自体も錠の前部カバーから外方に充分露出していなければならないので、指示している数字が不明瞭になるという不具合がある。さらにダイヤル外周面を直接指で操作するため汚れ易く、かつ摩滅によって数字が消えてしまうという欠点を免れなかった。
【課題を解決するための手段】
【０００４】
この発明は前記の課題を解決するために、外周面に暗証番号用の数字を付したダイヤルと、ダイヤルを操作するための、ダイヤルより径の大きい操作輪とを組み合わせたかばん錠のセンターロックなどに使用されるダイヤル錠を得たものである。
【発明の効果】
【０００５】
この発明のダイヤル錠はダイヤルとその操作輪が組み合わされているので、ダイヤルを操作するときは、ダイヤルより大径なので、操作しやすい。又ダイヤルの方が径が小さいので、数字が見える窓の大きさを必要最小限にすれば、窓から数字が１つしか見えないので、ダイヤルが示している数字が明瞭である。さらにダイヤルに直接触れないので、ダイヤル外周面を汚すこともなく、摩滅によって数字が消えることもない。
【発明を実施するための最良の形態】
【０００６】
ダイヤルと、それより径の大きい操作輪とを一体に成形すれば、構成も簡素になるし、製作も簡単である。
【実施例１】
【０００７】
図１はかばんの前面に取り付けられた操作部の全体配置を示す図であって、１はかばんの把手、２はセンターロック、３は両側に設けられたサイドロックであって、センターロックはダイヤル錠、サイドロックはキー４で操作される錠として示される。ダイヤル錠のダイヤル２１の外周面に付された数字の列（図示の例では３列）を予め定めた暗証番号と一致させればキー４でサイドロック３を解錠したときかばんの蓋をあけることができる。
【０００８】
２１はダイヤル、２２はダイヤルと組み合わされた操作輪、５１は前部カバー５に設けられたダイヤルの数字の見える窓、５２は操作輪２２が露出している孔である。図から判るように、この発明ではダイヤル２１と操作輪２２とを別の部分としたので、ダイヤル２１の数字の見える窓５１の大きさを操作輪２２を露出させる孔５２とは無関係に数字の１つのみが見える大きさに出来るので、数字を明瞭に示すことができる。
【０００９】
図２はこの発明のダイヤル錠の機構を示す正面図、図３は図２をＦ方向からみた上面図、図４は図３をＳ方向からみた端面図であって、２１は外周面に暗証番号用の数字を付したダイヤル、２２はダイヤル２１より径の大きい操作輪である。図示の例ではダイヤル２１と操作輪２２とは一体に成形されている。５は前部カバー、６は錠機構の収納筺、５１、５２は前述の如くそれぞれダイヤルの数字の見える窓及び操作輪が露出している孔である。また２３はダイヤル軸を示している。
【００１０】
ダイヤル２１に対してスペーサ３１がダイヤル２１と同時に回動し、軸方向には動きうるように組み合わされている。またボルト４１が回転中心４４を中心としてダイヤル２１の方向に付勢されている。スペーサ３１にはダイヤル２１の特定の数字と対応する位置に切欠３２があり、暗証番号となっている特定の数字を揃えれば切欠３２の位置も揃い、ボルト４１の屈曲部４２がスペーサ３１の切欠３２に入り込むのでボルト４１は中心４４を中心として図４で反時計方向に回動し、ボルト４１の先端が鎖錠位置４３から図の右方に動き、ダイヤル錠を解錠の状態とし、サイドロック３を解錠すればかばんを開けることができる。
【００１１】
２４は操作輪２２の外周面にダイヤル２１の数字と対応する位置に設けられた溝であって、収納筺６に取り付けられた板ばね２５との組み合わせによって、ダイヤル２１の位置決めを行い、又操作輪を回すときクリック音を発して所定の位置に来たことを示すことができる。
【００１２】
かばんを閉めたとき、サイドロック３を鎖錠したのち、操作輪２２によってダイヤル２１を廻せば、スペーサ３１も同時に廻り、スペーサの切欠３２とボルトの屈曲部４２とが外れて、ボルト３１は図４の時計方向に動き、ボルト４１の先端が鎖錠位置４３に来て、サイドロックを解錠できないようにする。
【産業上の利用可能性】
【００１３】
従来から機構としては周知のダイヤル錠ではあるが、ダイヤルと、大径の操作輪とを組み合わせたので、扱い易く、またダイヤル外周の数字の付された面を汚したり、また摩滅によって数字が消えることもなく、さらに数字の見える窓は数字１つが見えるだけの大きさがあればよいので、数字の指示も明瞭となるなど、極めて実用に適するかばん錠を得ることができた。
【図面の簡単な説明】
【００１４】
【図１】かばん前面の配置を示す図
【図２】この発明のダイヤル錠の機構を示す正面図
【図３】図２をＦ方向からみた上面図
【図４】図３をＳ方向からみた端面図
【符号の説明】
【００１５】
１    把手
２    センターロック
３    サイドロック
４    キー
５    前部カバー
６    錠機構収納筺
１０    かばん操作部
２１    ダイヤル
２２    操作輪
２３    ダイヤル軸
２４    溝
２５    板ばね
３１    スペーサ
３２    切欠
４１    ボルト
４２    屈曲部
４３    鎖錠位置
４４    回転中心
５１    数字の見える窓
５２    操作輪の露出する孔
【図１】
2006225849.tif 000003
【図２】
2006225849.tif 000004
【図３】
2006225849.tif 000005
【図４】
2006225849.tif 000006
(57)【要約】【課題】  住宅のエアコン等の配管に必要な、建物完成後の孔の開口工事において、開口してしまった気密シートの気密性を回復することは困難であるが、本発明は、気密シートを、壁材等と圧着させ、住宅の気密性を回復させることのできる「はさみ込みリング」である。【手段】  リングＡと、リングＢには切り込みがあり、開口した孔に容易に挿入できる。挿入後、リングＡとＢは、元の大きさまで戻る。リングＡとＢには、お互いに凸凹がありＡとＢを、壁材等の厚さまで押し縮めることにより、ＡとＢが、かみ合って、気密シートを壁材等に圧着させる。【選択図】  図１
2006225847.tif 000002
【特許請求の範囲】
【請求項１】
建築完了後にエアコン等の設置のため開口される孔によって、破られた、気密シートの気密性を回復させる２つのリングであって、その２つのリングが、壁内と外部から気密シートを挟みこんで気密性能を回復させるリングである。
【請求項２】
２つのリングには凸凹が設けられており、噛み合わせることにより気密シートを壁材等に圧着させることを、特徴とする。
【請求項３】
容易に開口孔に挿入できるように、２つのリングには切り込みがある。挿入後は元の大きさに戻り、開口孔に固定される。
【発明の詳細な説明】
【発明の詳細な説明】
【技術分野】
【０００１】本発明は、木造住宅等の工事完成後に設置される設備配管、配線用に開口される孔に対し、設置するリングであって、その開口した孔と共に破られた気密シートを圧着し、損なわれた気密性を回復させることのできるリングに関するものである。
【背景技術】
【０００２】建物建築完了後に、エアコン等を設置する場合、通常６５ｍｍ直径の孔を開口する。その際、建物の気密性を保つために施工された気密シートが破かれてしまっている。そしてその破かれたシートは、そのままに、破かれた状態でエアコン等のスリーブ等を設置している。また、スリーブは設置せず直接、孔に配線配管工事を行い、パテ等で孔を塞ぐに過ぎず、気密性を著しく低下させていた。
【発明が解決しようとする課題】
【０００３】最近の住宅は、平成１１年の省エネルギー基準の改正により相当隙間面積をより少なくしている。気密性を高めるために建物の外壁面に対し、ポリエチレンフィルム等を気密シートと称して施工し、気密性を高めている。建物完成後に恣意的に孔を開口しては、高気密住宅としての機能を損なうことになる。本来であれば、建物施工中にエアコンの孔等の開口部は気密施工をしなければならない。しかし、建物完成後に、エアコン等の設置の必要性から、孔を開口しなければならないケースは非常に多い。建物完成後では気密シートを破ってしまい、気密性を低下させる。本発明は以上の問題点を解決し、開口した孔の気密シートを効果的に圧着し、建物の気密性を回復させるためのものである
【課題を解決するための手段】
【０００４】以上の課題を解決するため、プラスチック製の凸凹のあるＡ、Ｂ２つのリングを、開口後の孔に挿入し、壁内と壁外から気密シートをはさみ込み、石膏ボード等の壁材に圧着させる。そのことにより破られた部分の気密シートは、気密性を回復することとなる。
【発明を実施するための最良の形態】
【０００５】以下、本発明の実施の形態について説明する。
（イ）本発明の構成は凸凹のある独立したプラスチック製リングＡと、Ｂの２つから構成される。
（ロ）この２つのリングには、壁内に挿入しやすくするため、切り込みが設けてある。切り込みがあることにより、リングを小さく絞り込むことが可能である。絞り込まれた２つのリングは、挿入後、元の太さに戻るため、開口された孔にしっかりと固定される。
（ハ）その後、Ａ、Ｂ２つの凹凸部分を、石膏ボード等の厚さまで押し縮め、凸凹部分をかみ合わせる。この状態で、気密シートが壁と圧着される。
本発明は以上の構成よりなる。
【発明の効果】
【０００６】本発明を使用することにより、建物完成後の開口された孔によって破られてしまった気密シートを石膏ボード等に圧着させ、開口により失われた住宅の気密性を回復させる。その後は従来施工されているように、開口した孔にスリーブ等を設置し、配管、配線工事を行い、気密テープやパテ等で、スリーブの孔を塞ぎ、工事を完了させる。
【図面の簡単な説明】
【図１】本発明の斜視図
【図２】本発明の拡大の横面図
【図３】本発明の拡大の正面図
【図４】本発明の住宅開口部への設置図
【符号の説明】
（１）切り込み  （２）リングＡ  （３）リングＢ  （４）凹凸によるかみ合わせ
【図１】
2006225847.tif 000003
【図２】
2006225847.tif 000004
【図３】
2006225847.tif 000005
【図４】
2006225847.tif 000006
【手続補正書】
【提出日】平成18年3月24日(2006.3.24)
【手続補正１】
【補正対象書類名】手続補正書
【補正対象項目名】手続補正１２
【補正方法】変更
【補正の内容】
【手続補正１２】
【補正対象書類名】要約書
【補正対象項目名】全文
【補正方法】変更
【補正の内容】
【要約】【要約】
【課題】住宅のエアコン等の配管に必要な、建物完成後の孔の開口工事において、開口してしまった気密シートの気密性を回復することは困難であるが、本発明は、気密シートを、壁材等と圧着させ、住宅の気密性を回復させることのできる「はさみ込みリングキャップ」である。
【手段】リングＡには切り込みがあり、開口した孔に容易に挿入できる。挿入後、リングＡは、元の大きさまで戻る。リングＡとＢには、お互いに凸凹がありＡとＢを、壁材等の厚さまで押し縮めることにより、ＡとＢが、かみ合って、気密シートを壁材等に圧着させる。必要に応じ、キャップにて孔を塞ぐ。
【選択図】図１


【手続補正２】
【補正対象書類名】手続補正書
【補正対象項目名】手続補正１３
【補正方法】削除
【補正の内容】